(57)【要約】【課題】撮影時において、物体との衝突を容易に回避することができる撮影装置を提供する。【解決手段】移動可能範囲３０を移動して、クレードル１０に載置され所定の位置に位置づけられた被検体を走査するＸ線ＣＴガントリ１２と、Ｘ線ＣＴガントリ１２の移動方向に沿って設置され、所定の設定走査範囲に応じてＸ線ＣＴガントリ１２が移動する走査範囲４０、または走査範囲４０を除く範囲を表示する発光部１８とを有する。発光部１８は、例えば、複数の発光ダイオードから構成され、Ｘ線ＣＴガントリ１２が設置された床に埋め込まれている。【選択図】図１
2005130929.tif 000002
【特許請求の範囲】
【請求項１】
移動可能範囲に指定された移動範囲を移動して、所定の位置に位置づけられた被検体を走査する走査手段と、
前記走査手段の移動方向に沿って設置され、所定の設定走査範囲に応じて前記移動可能範囲において前記走査手段が移動する走査範囲、または前記走査範囲を除く範囲を表示する表示手段と
を有する撮影装置。
【請求項２】
移動可能範囲に指定された移動範囲を移動して、前Ｘ線を照射することにより所定の位置に位置づけられた被検体を走査し、被検体の断層像データを取得するＸ線ＣＴガントリ、または前記被検体の血管像データを取得するアンギオグラフィーガントリからなる走査手段と、
前記走査手段の移動方向に沿って設置され、所定の設定走査範囲に応じて前記移動可能範囲において前記走査手段が移動する走査範囲、または前記走査範囲を除く範囲を表示する表示手段と
を有する撮影装置。
【請求項３】
前記表示手段は複数の発光部を有し、前記走査範囲、または前記走査範囲を除く範囲に対応する発光部が発光する
請求項１、２のいずれかに記載の撮影装置。
【請求項４】
前記発光部は、発光ダイオードあるいはハロゲンランプからなる
請求項３に記載の撮影装置。
【請求項５】
前記表示手段は、前記走査手段が設置された床に埋め込まれている
請求項１、２のいずれかに記載の撮影装置。
【請求項６】
被検体の撮影範囲となる前記設定走査範囲をスカウト撮影より得られた透視像を用いて設定し、前記設定走査範囲に応じて前記表示手段を制御して前記走査手段が移動する前記走査範囲を表示させる制御手段と
をさらに有する請求項１、２のいずれかに記載の撮影装置。
【請求項７】
移動可能範囲に指定された移動範囲内を移動して、所定の位置に位置づけられた被検体を走査する走査手段と、
前記走査手段の外周部に設置され、前記走査手段の移動可能範囲における物体の存在を検出する検出手段と
を有する撮影装置。
【請求項８】
移動可能範囲に指定された移動範囲を移動して、Ｘ線を照射することにより所定の位置に位置づけられた被検体を走査し、被検体の断層像データを取得するＸ線ＣＴガントリ、または前記被検体の血管像データを取得するアンギオグラフィーガントリからなる走査手段と、
前記走査手段の外周部に設置され、前記走査手段の移動可能範囲における物体の存在を検出する検出手段と
を有する撮影装置。
【請求項９】
所定の設定走査範囲に応じて前記走査手段が移動する走査範囲、または前記走査範囲を除く範囲において、前記検出手段により検出された物体の存在を報知する報知手段と
をさらに有する請求項７、８のいずれかに記載の撮影装置。
【請求項１０】
所定の設定走査範囲に応じて前記走査手段が移動する走査範囲において、前記検出手段により検出された物体の存在に応じて、前記走査手段の動作を制御する制御手段と
をさらに有する請求項７、８のいずれかに記載の撮影装置。
【請求項１１】
前記検出手段は、赤外線センサーあるいは超音波センサーである
請求項７〜１０のいずれかに記載の撮影装置。
【請求項１２】
前記制御手段において、被検体の撮影範囲となる前記設定走査範囲はスカウト撮影により得られた透視像から設定される
請求項１０記載の撮影装置。
【請求項１３】
移動可能範囲に指定された移動範囲内を移動して、所定の位置に位置づけられた被検体を走査する走査手段と、
前記走査手段の移動可能範囲の床面に設置され、前記走査手段の移動可能範囲における荷重を検出する検出手段と
を有する撮影装置。
【請求項１４】
移動可能範囲に指定された移動範囲を移動して、Ｘ線を照射することにより所定の位置に位置づけられた被検体を走査し、被検体の断層像データを取得するＸ線ＣＴガントリ、または前記被検体の血管像データを取得するアンギオグラフィーガントリからなる走査手段と、
前記走査手段の移動可能範囲の床面に設置され、前記走査手段の移動可能範囲における荷重を検出する検出手段と
を有する撮影装置。
【請求項１５】
所定の設定走査範囲に応じて前記走査手段が移動する走査範囲、または前記走査範囲を除く範囲において、前記検出手段により荷重が検出されたことを報知する報知手段と
をさらに有する請求１３、１４のいずれかに記載の撮影装置。
【請求項１６】
所定の設定走査範囲に応じて前記走査手段が移動する走査範囲において、前記検出手段が荷重を検出したか否かに応じて、前記走査手段の動作を制御する制御手段と
をさらに有する請求項１３、１４のいずれかに記載の撮影装置。
【請求項１７】
前記検出手段は、圧力センサーあるいは歪み計である
請求項１３〜１６のいずれかに記載の撮影装置。
【請求項１８】
前記制御手段において、被検体の撮影範囲となる前記設定走査範囲はスカウト撮影により得られた透視像から設定される
請求項１６記載の撮影装置。
【発明の詳細な説明】
【技術分野】
【０００１】
本発明は、移動可能な走査手段を有する撮影装置に関するものである。
【背景技術】
【０００２】
断層撮影を行う撮影装置として、例えば、放射線としてＸ線を照射し、被検体を透過したＸ線を検出し、計算によって断層像を生成するＸ線ＣＴ（Ｃｏｍｐｕｔｅｄ  Ｔｏｍｏｇｒａｐｈｙ）装置などが知られている。
【０００３】
具体的に、Ｘ線ＣＴ装置は、走査ガントリとして、Ｘ線源と、被検体を挟んで相対向するＸ線検出部とを有する。
走査ガントリは、所定の回転軸を中心としてＸ線を照射しながら被検体の周りを回転し、被検体の周囲の複数の方向において被検体を透過したＸ線を検出する。Ｘ線ＣＴ装置は検出された投影データに基づいて断層像を生成する。その結果、回転軸の軸方向に垂直な面における断層像を得ることができる。このとき、被検体は撮影用の載置手段に載せられている。撮影用の載置手段を、以下、クレードルとも称する。
【０００４】
一方、Ｘ線ＣＴ装置による撮影を行う際に、被検体の載ったクレードルの周辺に、被検体と接続されたインジェクターや点滴チューブの支持台を配置することが多い。Ｘ線ＣＴ装置の使用者は、このような物体が被検体と接続されているため、被検体が載せられたクレードル近傍に配置する。
【０００５】
上記のような状態において、走査ガントリが移動して撮影を行うと、インジェクターや点滴チューブの支持台などと走査ガントリとが衝突する可能性がある。
そこで、走査ガントリの移動可能範囲をテープなどで覆って識別したり、走査ガントリに物体との衝突を感知するタッチセンサーを設けたりする方法によって、衝突を防いでいる。あるいは、使用者は、自らの経験に基づいてインジェクターや点滴チューブを配置することもある。
【０００６】
また、上記のような走査範囲を設定および確認する装置として、ガントリに向けて搬送するテーブル上の被検体の搬送方向に沿ってスライド可能なレーザ光を照射する投光部と、投光部の搬送方向における位置情報を検出する検出部と、検出された位置情報をガントリおよび走査コンソールに出力する出力部とを有するスキャン範囲設定装置が知られている（たとえば、特許文献１参照）。
【特許文献１】特開２００２−２６３１００号公報
【発明の開示】
【発明が解決しようとする課題】
【０００７】
しかしながら、上記のような従来の撮影装置においては、走査ガントリの移動可能範囲を識別する場合、走査時に識別された領域に全く物体を置かないのは難しい。また、走査ガントリにタッチセンサーを設ける場合、走査ガントリと物体が衝突すると走査ガントリは移動を停止するが、衝突した物体は倒れたり、壊れたりする可能性もある。このように走査が途中で中断されると、再び撮影をやり直すことになり、被検体への負担も大きくなる。
【０００８】
さらに、経験に基づいて配置する場合、例えば新規な装置が導入されると今までの経験は生かされず、上記と同様な方法で衝突を防ぐことになる。
また、特許文献１に示すスキャン範囲設定装置においては、スキャン範囲を表示する機構が複雑であるので、より簡便な機構が望まれている。
【０００９】
本発明は、上記のような事情に鑑みてなされたものであり、その目的は、撮影時に、物体との衝突を容易に回避することができる撮影装置を提供することにある。
【課題を解決するための手段】
【００１０】
上記目的を達成するため、上記の本発明の撮影装置は、移動可能範囲に指定された移動範囲内を移動して、所定の位置に位置づけられた被検体を走査する走査手段と、走査手段の移動方向に沿って設置され、所定の設定走査範囲に応じて移動可能範囲において走査手段が移動する走査範囲、または走査範囲を除く範囲を表示する表示手段とを有する。
【００１１】
本発明の撮影装置によれば、表示手段は、設定走査範囲に応じて走査手段の移動範囲、あるいは走査範囲を除く領域を表示する。その結果、使用者は走査手段の移動範囲を確認する。
【００１２】
上記目的を達成するため、上記の本発明の撮影装置は、移動可能範囲に指定された移動範囲内を移動して、Ｘ線を照射することにより所定の位置に位置づけられた被検体を走査し、被検体の断層像データを取得するＸ線ＣＴガントリ、または被検体の血管像データを取得するアンギオグラフィーガントリからなる走査手段と、走査手段の移動方向に沿って設置され、所定の設定走査範囲に応じて移動可能範囲において走査手段が移動する走査範囲、または走査範囲を除く範囲を表示する表示手段とを有する。
【００１３】
本発明の撮影装置によれば、表示手段は、設定走査範囲に応じてＸ線ＣＴガントリあるいはアンギオグラフィーガントリからなる走査手段の移動範囲、あるいは走査範囲を除く領域を表示する。その結果、使用者は走査手段の移動範囲を確認する。
【００１４】
上記目的を達成するため、上記の本発明の撮影装置は、移動可能範囲に指定された移動範囲内を移動して、所定の位置に位置づけられた被検体を走査する走査手段と、走査手段の外周部に設置され、走査手段が移動する走査範囲、または走査範囲を除く範囲における物体の存在を検出する検出手段とを有する。
【００１５】
本発明の撮影装置によれば、検出手段は、設定走査範囲に応じて走査手段の移動範囲、あるいは走査範囲を除く領域における物体の存在を検出する。その結果、使用者は走査手段の移動範囲に物体があるか否かを確認する。
【００１６】
上記目的を達成するため、上記の本発明の撮影装置は、移動可能範囲に指定された移動範囲内を移動して、Ｘ線を照射することにより所定の位置に位置づけられた被検体を走査し、被検体の断層像データを取得するＸ線ＣＴガントリ、または被検体の血管像データを取得するアンギオグラフィーガントリからなる走査手段と、走査手段の外周部に設置され、走査手段の移動可能範囲における物体の存在を検出する検出手段とを有する。
【００１７】
本発明の撮影装置によれば、検出手段は、設定走査範囲に応じてＸ線ＣＴガントリあるいはアンギオグラフィーガントリからなる走査手段の移動範囲、あるいは走査範囲を除く領域における物体の存在を検出する。その結果、使用者は走査手段の移動範囲に物体があるか否かを確認する。
【００１８】
上記目的を達成するため、上記の本発明の撮影装置は、移動可能範囲に指定された移動範囲内を移動して、所定の位置に位置づけられた被検体を走査する走査手段と、走査手段の移動可能範囲の床面に設置され、荷重を検出する検出手段とを有する。
【００１９】
本発明の撮影装置によれば、検出手段は、設定走査範囲に応じて走査手段の移動可能範囲の床面において荷重を検出する。その結果、使用者は走査手段の移動可能範囲に物体があるか否かを確認する。
【００２０】
上記目的を達成するため、上記の本発明の撮影装置は、移動可能範囲に指定された移動範囲内を移動して、Ｘ線を照射することにより所定の位置に位置づけられた被検体を走査し、被検体の断層像データを取得するＸ線ＣＴガントリ、または被検体の血管像データを取得するアンギオグラフィーガントリからなる走査手段と、走査手段の移動可能範囲の床面に設置され、走査手段の移動可能範囲における荷重を検出する検出手段とを有する。
【００２１】
本発明の撮影装置によれば、検出手段は、設定走査範囲に応じてＸ線ＣＴガントリあるいはアンギオグラフィーガントリからなる走査手段の移動可能範囲の床面において荷重を検出する。その結果、使用者は走査手段の移動可能範囲に物体があるか否かを確認する。
【発明の効果】
【００２２】
本発明の撮影装置によれば、撮影時に、物体との衝突を容易に回避することができる。
【発明を実施するための最良の形態】
【００２３】
以下、本発明を実施するための最良の形態について図面を参照して説明する。
【００２４】
〔第１の実施形態〕
図１は、本実施形態に係るＸ線ＣＴ装置１を模式的に示す概略上面図である。図２は、図１に示すＸ線ＣＴ装置１を側面から見た部分断面図である。本発明に係る撮影装置の一実施態様がＸ線ＣＴ装置１に相当する。
【００２５】
本実施形態に係るＸ線ＣＴ装置１は、クレードル１０と、走査ガントリ１２と、レール１４と、発光部１８と、オペレーターコンソール５０とを有する。また、クレードル１０の近傍にインジェクター１６が配置されている。
以下、走査ガントリをガントリ１２とも称する。また、本発明における表示手段の一実施態様が発光部１８に相当する。さらに、本発明における制御手段の一実施態様がオペレーターコンソール５０に相当する。
【００２６】
Ｘ線ＣＴ装置１は、走査ガントリ１２として、Ｘ線源と、被検体を挟んで相対向させたＸ線検出部とを有する。Ｘ線ＣＴ装置１は、走査ガントリ１２において、所定の回転軸を中心としてＸ線を照射しながら被検体の周りを回転し、被検体を通過したＸ線を検出する。その結果、検出された投影データに基づいて、回転軸の軸方向に垂直な面における断層像を得る。
【００２７】
クレードル１０は、被検体を載せる。また、クレードル１０は、被検体の撮影範囲がガントリ１２の移動可能範囲３０に入るように配置されている。さらに、クレードル１０は、オペレーターコンソール５０によりガントリ１２との相対距離を制御される。
ガントリ１２は、図示は省略するが、Ｘ線源とＸ線検出部とを有する。また、ガントリ１２は、移動可能範囲３０をレール１４に沿って移動する。さらに、ガントリ１２は、オペレーターコンソール５０と接続され、走査範囲４０に制御されている。
【００２８】
レール１４は、床面に設置され、ガントリ１２の移動を導く。
発光部１８は、レール１４に沿ってガントリ１２近傍に配置されている。発光部１８は、ガントリ１２の走査範囲４０を表示する。例えば、発光部１８は、図１に示すように、走査範囲４０を発光領域１８ａおよび走査範囲４０を除く移動範囲３０を非発光領域１８ｂにより表示する。
【００２９】
また、発光部１８は、例えば図２に示すように、複数の発光ダイオード（Ｌｉｇｈｔ
Ｅｍｉｔｔｉｎｇ  Ｄｉｏｄｅ、以下、ＬＥＤとも称する）１７と、ＬＥＤ１７の発光面を覆うように配置された基板１９とから実現される。具体的には、ＬＥＤ１７の発光面が、床面に対して上を向くように配列され、床面に埋め込まれている。さらに、床面に埋め込まれたＬＥＤ１７は発光面を保護するように透明な基板１９によって覆われている。その結果、発光部１８は床面との段差が生じることはない。
【００３０】
オペレーターコンソール５０は、クレードル１０、ガントリ１２および発光部１８に接続されている。また、オペレーターコンソール５０は、ガントリ１２の移動や走査、およびクレードル１０とガントリ１２との相対位置などを制御する。さらに、オペレーターコンソール５０は、ガントリ１２の移動可能範囲３０内において、被検体の撮影範囲を走査する走査範囲４０を決定する。
オペレーターコンソール５０は、ガントリ１２の走査範囲に基づいて発光部１８の発光領域を制御する。
オペレーターコンソール５０は、例えば、中央演算装置と、表示画面と、キーボードなどから実現される。
【００３１】
次に、図１、図２および図３を参照して、本実施形態に係るＸ線ＣＴ装置１の動作を説明する。  
図３は、本実施形態に係るＸ線ＣＴ装置１の動作を示すフローチャートであって、例えば、造影剤を用いた撮影の動作を示す。
【００３２】
まず、被検体の撮影条件を決定するために、ガントリ１２の移動可能範囲３０内において、被検体のスカウト撮影を行う（ＳＴ１）。
まず、クレードル１０上の被検体に対し、ガントリ１２内におけるＸ線源とＸ線検出部との位置が一定になるように回転させずに、ガントリ１２を徐々に移動させながらＸ線を連続的に照射する。そして、得られた投影データから１枚の透視像を得る。上記のような工程をスカウト撮影という。スカウト撮影範囲は、被検体に対して、ガントリ１２の移動可能範囲３０全体でもよいし、予想される撮影範囲およびその周辺でもよい。
ここで、撮影条件の決定とは、例えば、ガントリ１２と被検体との位置合わせ、被検体の走査範囲および走査時のスライス厚などの条件を決定することをいう。
【００３３】
上記のスカウト撮影時においては、被検体はインジェクタ１６と接続されないので、クレードル１０の近傍にインジェクタ１６などが配置されることはない。ここで、インジェクタ１６は、Ｘ線ＣＴ装置などにより血管撮影を行う際に、造影剤を被検体に注入する装置をいう。上記のような血管撮影において、インジェクタ１６は被検体と接続されるため、被検体のできるだけ近傍に配置される。
【００３４】
次に、上記のスカウト撮影の透視像に基づいて、被検体の撮影範囲を決定する。使用者は、決定された撮影範囲を設定された走査範囲４０としてオペレーターコンソール５０に設定する（ＳＴ２）。
オペレーターコンソール５０は、発光部１８に対して指令を与え、設定された走査範囲４０に応じて対応する発光部１８のＬＥＤ１７を発光させる（ＳＴ３）。
【００３５】
使用者は、発光部１８の発光領域を確認して、インジェクタ１６をガントリ１２の走査範囲４０の外の被検体から最も近い所に配置する（ＳＴ４）。
【００３６】
その後、使用者は、ガントリ１２を走査させて得られた投影データから、ステップＳＴ２において設定された走査範囲４０の断層像を得る（ＳＴ５）。
【００３７】
本実施形態に係るＸ線ＣＴ装置１によれば、スカウト撮影によって決定された走査範囲４０を発光部１８が自動的に表示するため、表示領域に応じてインジェクタ１６などの物体を配置することができる。その結果、撮影時において、物体とガントリ１２とが衝突することを防ぐことができる。
また、撮影をやり直すこともなくなるので、被検体への負担も低減される。さらに、走査範囲を表示するための投光機や投光機をスライドさせるレールなどを備える必要がなく、簡便な機構によってガントリ１２の走査範囲４０を表示することができる。
なお、本実施形態において、発光部１８は、走査範囲４０と走査範囲４０を除く範囲とを発光領域１８ａと非発光領域１８ｂとによって表示しているが、ＬＥＤ１７を２色用いて表示してもよい。
【００３８】
〔第２の実施形態〕
本発明に係る第２の実施形態について図面を参照して説明する。なお、上記の実施形態と同様の部分は番号を同じくし、説明を省略し、以下、異なる部分についてのみ説明する。
【００３９】
図４は、本実施形態に係るＸ線ＣＴ装置２を模式的に示す概略上面図である。
【００４０】
本実施形態に係るＸ線ＣＴ装置２は、クレードル１０と、走査ガントリ１２と、レール１４と、警報機２０と、赤外線センサー２２と、オペレーターコンソール５０とを有する。
ここで、本発明における報知手段の一実施態様が警報機２０に相当する。また、本発明における検出手段の一実施態様が赤外線センサー２２に相当する。
【００４１】
赤外線センサー２２は、オペレーターコンソール５０と接続されている。また、赤外線センサー２２は、ガントリ１２の外周部にたとえば２０ｃｍ間隔おきに複数設置されている。さらに、赤外線センサー２２は、ガントリ１２の移動可能範囲３０において、例えばインジェクタ１６のような物体の存在を検出する。
赤外線センサー２２は、たとえば、発光部と、受光部と差分処理部とを有する。発光部は、ガントリ１２の移動可能な方向に向けて赤外線を放射する。受光部は、物体によって反射された放射光を受光する。差分処理部は、発光部から光を放射した時刻と、受光部により受光した時刻とを差分してセンサーと物体との距離を求める。差分処理部は、検出された物体との距離をオペレーターコンソール５０に出力する。
赤外線センサー２２は、ガントリ１２の移動可能範囲３０において物体との距離を検出する。たとえば、ガントリ１２の移動可能範囲３０の長手方向が２ｍ程度とすると、それぞれの赤外線センサー２２の検出範囲は、赤外線センサー２２を中心に両側に１０ｃｍずつ、長手方向に２ｍ程度とする。
【００４２】
警報機２０は、オペレーターコンソール５０と接続されている。また、警報機２０は、オペレーターコンソール５０を介して赤外線センサー２２と接続されている。さらに、警報機２０は、オペレーターコンソール５０からの指令に基づいて、設定された範囲内における物体の存在を報知する。
【００４３】
オペレーターコンソール５０は、クレードル１０、ガントリ１２、警報機２０および赤外線センサー２２に接続されている。また、オペレーターコンソール５０は、赤外線センサー２２により検出された物体の位置がガントリ１２の走査範囲４０内にあるか否かを判断し、ガントリ１２の動作を制御する。
さらに、オペレーターコンソール５０は、ガントリ１２の走査範囲４０において赤外線センサー２２が物体を検出すると、警報機２０に指令を出し、報知させる。
【００４４】
次に、図４を参照して、本実施形態に係るＸ線ＣＴ装置２の動作を説明する。第１の実施形態と同様の部分は説明を省略する。
【００４５】
まず、被検体の撮影条件を決定するために、必要に応じてスカウト撮影を行う。
【００４６】
次に、スカウト撮影の透視像に基づいて、被検体の撮影範囲を決定する。使用者は、決定された撮影範囲を走査範囲４０としてオペレーターコンソール５０に設定する。
使用者は、設定された走査範囲４０において血管撮影を行うために、インジェクタ１６を被検体と接続し、インジェクタ１６をクレードル１０の近傍に配置する。
【００４７】
一方、赤外線センサー２２は、スカウト撮影終了後に、ガントリ１２の移動範囲３０の物体の存在を検出する。赤外線センサー２２は、検出された物体の距離をオペレーターコンソール５０に出力する。
【００４８】
オペレーターコンソール５０は、赤外線センサー２２によって検出された物体の距離と、設定された走査範囲４０に基づいて、物体が走査範囲４０内にあるか否かを判断する。ガントリ１２の走査範囲４０に物体の存在が検出されると、オペレーターコンソール５０は警報機２０に指令を与える。警報機２０は、オペレーターコンソール５０からの指令に基づいて使用者に物体の存在を報知する。
使用者は、警報機２０の報知に基づいて、インジェクタ１６をガントリ１２の走査範囲４０の外の被検体から最も近い所に配置する。
【００４９】
その後、使用者は、ガントリ１２を走査させ、造影剤を用いた被検体の撮影を行う。得られた投影データから、設定された領域の断層像が得られる。
物体の存在が検出されたとき、オペレーターコンソール５０は、例えば、走査が開始されないようにガントリ１２を制御する。
【００５０】
本実施形態に係るＸ線ＣＴ装置２によれば、設定された走査範囲４０にインジェクタ１６などの物体の存在を検出して報知するため、使用者は、走査範囲４０を確認してインジェクタ１６を配置することができる。その結果、撮影時において、物体とガントリ１２との衝突を防ぐことができる。
また、撮影をやり直すこともなくなるので、被検体への負担も低減される。さらに、走査範囲を表示するための投光機や投光機をスライドさせるレールなどを備える必要がないため、簡便な機構によってガントリ１２の走査範囲を確認することができる。
本実施形態に係るＸ線ＣＴ装置２によれば、インジェクターや点滴チューブの支持台などが被検体に接続された状態において、スカウト撮影を行うときにも上記のような物体とガントリ１２とが衝突することを防ぐことができる。
【００５１】
〔第３の実施形態〕
本発明に係る第３の実施形態について図面を参照して説明する。なお、上記の実施形態と同様の部分は番号を同じくし、説明を省略し、以下、異なる部分についてのみ説明する。
【００５２】
図５は、本実施形態に係るＸ線ＣＴ装置３を模式的に示す概略上面図である。
【００５３】
本実施形態に係るＸ線ＣＴ装置３は、クレードル１０と、走査ガントリ１２と、レール１４と、警報機２０と、圧力センサー２４と、オペレーターコンソール５０とを有する。
ここで、本発明における検出手段の一実施態様が圧力センサー２４に相当する。
【００５４】
圧力センサー２４は、オペレーターコンソール５０と接続されている。また、圧力センサー２４は、ガントリ１２などが設置されている床面に設置されている。さらに、圧力センサー２４は、ガントリ１２の移動範囲３０において、例えばインジェクタ１６のような物体の荷重を検出する。
【００５５】
警報機２０は、オペレーターコンソール５０と接続されている。また、警報機２０は、オペレーターコンソール５０からの指令に基づいて、設定された領域において物体の荷重が検出されたことを報知する。
【００５６】
オペレーターコンソール５０は、クレードル１０、ガントリ１２、警報機２０および圧力センサー２４に接続されている。また、オペレーターコンソール５０は、圧力センサー２４が検出した荷重の位置がガントリ１２の走査範囲４０か否かを判断し、ガントリ１２の動作を制御する。
さらに、オペレーターコンソール５０は、ガントリ１２の走査範囲４０において圧力センサー２４が荷重を検出すると、警報機２０に指令を出し、報知させる。
【００５７】
次に、図５を参照して、本実施形態に係るＸ線ＣＴ装置３の動作を説明する。上記の実施形態と同様の部分は説明を省略する。
【００５８】
まず、被検体の撮影条件を決定するために、必要に応じてスカウト撮影を行う。
【００５９】
次に、スカウト撮影の透視像に基づいて、被検体の撮影範囲を決定する。使用者は、決定された撮影範囲を走査範囲４０としてオペレーターコンソール５０に設定する。
使用者は、設定された走査範囲４０において血管撮影を行うために、インジェクタ１６を被検体と接続し、インジェクタ１６をクレードル１０の近傍に配置する。
【００６０】
一方、圧力センサー２４は、スカウト撮影終了後に、ガントリ１２の移動範囲３０にかかる荷重を検出する。
【００６１】
オペレーターコンソール５０は、圧力センサー２４によってガントリ１２の走査範囲４０に荷重が検出されると、警報機２０に指令を与える。警報機２０は、オペレーターコンソール５０からの指令に基づいて使用者に物体の存在を報知する。
使用者は、警報機２０の報知に基づいて、インジェクタ１６をガントリ１２の走査範囲の外の被検体から最も近い所に配置する。
【００６２】
その後、使用者は、ガントリ１２を走査させ、造影剤を用いた被検体の撮影を行う。得られた投影データから、設定された領域の断層像が得られる。
物体の存在が検出されたとき、オペレーターコンソール５０は、例えば、走査が開始されないようにガントリ１２を制御する。
【００６３】
本実施形態に係るＸ線ＣＴ装置３によれば、設定された走査範囲４０においてインジェクタ１６などの荷重を検出し、荷重が検出されたことを報知するため、使用者は、走査範囲４０を確認してインジェクタ１６を配置することができる。その結果、撮影時において、物体とガントリ１２とが衝突することを防ぐことができる。
また、撮影をやり直すこともなくなるので、被検体への負担も低減される。さらに、走査範囲４０を表示するための投光機や投光機をスライドさせるレールなどを備える必要がないため、簡便な機構によってガントリ１２の走査範囲４０を確認することができる。
本実施形態に係るＸ線ＣＴ装置３によれば、インジェクターや点滴チューブの支持台などが被検体に接続された状態において、スカウト撮影を行うときにも上記のような物体とガントリ１２とが衝突することを防ぐことができる。
【００６４】
本発明の撮影装置は、上記の実施形態に限定されない。
例えば、本発明の撮影装置として、Ｘ線ＣＴ装置に特定して述べたが、アンギオ装置などのその他の走査ガントリなどを有する撮影装置においても適用できる。また、第１の実施形態の発光部をクレードルの側面側などに設けてもよい。さらに、ガントリを固定して、クレードルを移動させることにより走査範囲を表示することもできる。
その他、本発明の要旨を逸脱しない範囲で種々の変更が可能である。
【図面の簡単な説明】
【００６５】
【図１】図１は、本発明の第１の実施形態に係るＸ線ＣＴ装置１を模式的に示す概略上面図である。
【図２】図２は、図１に示すＸ線ＣＴ装置１の側面を示す部分断面図である。
【図３】図３は、本発明の第１の実施形態に係るＸ線ＣＴ装置１の動作を示すフローチャートである。
【図４】図４は、本発明の第２の実施形態に係るＸ線ＣＴ装置２を模式的に示す概略上面図である。
【図５】図５は、本発明の第３の実施形態に係るＸ線ＣＴ装置３を模式的に示す概略上面図である。
【符号の説明】
【００６６】
１，２，３…Ｘ線ＣＴ装置（撮影装置）
１０…クレードル
１２…ガントリ（走査手段）
１４…レール
１６…インジェクタ
１７…ＬＥＤ
１８…発光部（表示手段）
１８ａ…発光領域
１８ｂ…非発光領域
１９…透明基板
２０…警報機（報知手段）
２２…赤外線センサー（検出手段）
２４…圧力センサー（検出手段）
３０…ガントリの移動可能範囲
４０…ガントリの走査範囲
５０…オペレーターコンソール（制御手段）
【図１】
2005130929.tif 000003
【図２】
2005130929.tif 000004
【図３】
2005130929.tif 000005
【図４】
2005130929.tif 000006
【図５】
2005130929.tif 000007